(57)【要約】本発明は、柄（１４）を備えた器具の本体（１２）を用いた結束タイ取付け用器具（１０）に関しており、該器具は以下を含む。−結束線の受入れ用の線の入口（２４）、−結束タイ取付け用先端部（２０）、−少なくとも１つの、取付け用先端部の作動用電動機（１８）および、−少なくとも一つの、結束線の予備の受入れ用の第一のリール台（４０）。本発明によると、器具の本体（１２）は、器具の本体（１２）の上への第一のリール台（４０）の取外し可能な固定のための、第一のリール台を受け止めることのできる固定用台座（３０）を含み、固定用台座（３０）および第一のリール台（４０）は、弾性の差込錠を有する。本発明は、樹木栽培およびブドウ栽培の分野における用途を見出す。【選択図】図１
2021516196.tif 000002
【特許請求の範囲】
【請求項１】
柄（１４）を備えた器具の本体（１２）を用いた結束タイ取付け用器具（１０）であって、
−結束線の受入れ用の線の入口（２４）、
−結束タイ取付け用先端部（２０）、
−少なくとも１つの、取付け用先端部の作動用電動機（１８）、および
−少なくとも１つの、結束線の予備の受入れ用の第一のリール台（４０）、
を含む器具であり、
器具の本体（１２）が、器具の本体（１２）上への第一のリール台（４０）の取外し可能な固定のための、第一のリール台を受け止めることのできる固定用台座（３０）を含み、固定用台座（３０）および第一のリール台（４０）が、弾性の差込錠（３６、８４）を有することを特徴とする器具。
【請求項２】
弾性の差込錠が、第一のリール台（４０）と連動する弾性薄板（８４）と、弾性薄板に相補的な形状の、固定用台座（３０）の切込み（３６）とを含み、切込みが、弾性薄板を係止位置において受け止める、請求項１に記載の器具。
【請求項３】
固定用台座（３０）と第一のリール台（４０）とが、形状の相補性による固定用台座（３０）の上への第一のリール台（４０）の固定のための、相補的な嵌合用凹凸（３２、８２）をそれぞれ有する、請求項１または２に記載の器具。
【請求項４】
台座の嵌合用凹凸が、線の入口（２４）の両側にレール（３２）を有する、請求項３に記載の器具。
【請求項５】
器具の本体（１２）と一体化された、電動機（１８）のエネルギー供給のための蓄電池（７０）を含む、請求項２から４のいずれか一つに記載の器具。
【請求項６】
蓄電池の充電器の接続用コンセント（２６）を含む、請求項５に記載の器具。
【請求項７】
第一のリール台（４０）が器具（１０）上に受け止められているとき、第一のリール台（４０）がコンセント（２６）の保護カバー（４６）を形成する、請求項６に記載の器具。
【請求項８】
コンセント（２６）が、線の入口（２４）の近傍に配置される、請求項６または７に記載の器具。
【請求項９】
第一のリール台（４０）とは別であり、かつ第一のリール台の固定用台座（３０）と適合し得る、コンセント（２６）の保護キャップ（６０）を含み、保護キャップ（６０）が、第一のリール台が器具の本体から取り外されるとき、固定用台座上に設置されることができる、請求項６から８のいずれか一つに記載の器具。
【請求項１０】
キャップ（６０）が、固定用台座（３０）の切込み（３６）と対になった弾性薄板（６４）を有し、そして切込みとともに差込錠を形成する、請求項８および９に記載の器具。
【請求項１１】
第一のリール台（４０）とは別であり、かつ器具の本体（１２）から遠隔の第二のリール台（５０）をそのうえ含む、請求項１から１０のいずれか一つに記載の器具。
【請求項１２】
器具の本体（１２）から遠隔であり、かつ第二のリール台（５０）を備えた、ベルト（５６）と背負い運搬用ハーネス（５８）とのうちの少なくとも１つを含む、請求項１１に記載の器具。
【請求項１３】
第一のリール台の上に受けられる結束線用リールを含む、請求項１から１２のいずれか一つに記載の器具。
【発明の詳細な説明】
【技術分野】
【０００１】
本発明は、結束タイ取付け用器具に関するものである。
【０００２】
「ピストル型結束機」とも呼ばれる、そのような器具は、高木、中木または低木の小枝すなわち分枝の固定用に、あるいはまたブドウの若枝の、細い支柱へのまたとりわけ固定用ワイヤへの固定用に利用される。
【０００３】
固定は、ピストル型結束機によって撚り合せられる結束線を使って行われる。
【０００４】
本発明は、主に樹木栽培、とりわけ果樹栽培およびブドウ栽培の分野における用途を見出す。
【背景技術】
【０００５】
現状技術の例証は、欧州特許出願公開第０７６３３２３号明細書に記される。
【０００６】
欧州特許出願公開第０７６３３２３号明細書は、直流電流で給電される、単一の作動用電動機を備えたピストル型結束機に関している。電動機は、結束線に基づく結束タイの準備の機能のための、また結束すべき要素の周りへのその設置後に結束線を撚り合わせることにある機能のための、ピストルの結束タイ取付け用先端部の作動を確実に行う。
【０００７】
結束線は、外被、好ましくは紙製またはプラスチック材料製の外被帯を備えた、まっすぐなまたは折り畳まれた、少なくとも１つの軟鋼線またはステンレス鋼線から成る。結束線は、利用者のベルトに装着される、遠隔の結束線用リールによって送り出される。
【０００８】
中国特許出願公開第１０６８１８３９１号明細書や中国実用新案第２０６５６４９８２号明細書は、一体化された結束線用リールを備えたピストル型結束機を示している。
【０００９】
現状技術は、局所的なリール台または遠隔のリール台を備えた結束タイ取付け用器具に関する以下の文献によってさらに例証されている。
−米国特許第３５９０８８５号明細書
−特開平０７−１２５７１９号公報
−特開２０１０−１８９０５５号公報
【先行技術文献】
【特許文献】
【００１０】
【特許文献１】欧州特許出願公開第０７６３３２３号明細書
【特許文献２】中国特許出願公開第１０６８１８３９１号明細書
【特許文献３】中国実用新案第２０６５６４９８２号明細書
【特許文献４】米国特許第３５９０８８５号明細書
【特許文献５】特開平０７−１２５７１９号公報
【特許文献６】特開２０１０−１８９０５５号公報
【発明の概要】
【発明が解決しようとする課題】
【００１１】
本発明は、既知のピストル型結束機を用いて遭遇するいくつかの困難の識別に由来する。
【００１２】
以下の困難がとりわけ指摘され得る。
−遠隔のリールを伴うピストルの利用は、結束線の巻出の困難、および、利用者の近傍に位置する植物や障害物との結束線の思いがけない絡まり合いを引き起こしうる。例えば、高所への結束タイの実現は、腕を相当に伸ばすことを必要とし、またしたがって、リールと結束機との間に巻き出される結束線の長さを増加させる。そのあとでのリールに近い位置における結束タイの実現は、リールの予め巻き出された結束線についての損害リスクを招く。
−低抵抗の結束線の利用または長手方向に伸展性のある結束線の利用は、とりわけ結束タイ取付け用器具の中へのその受け入れの前に結束線が受ける応力のために、結束タイ取付け用先端部に達する前の、結束線の思いがけない伸びへと導きうる。
−ピストル型結束機と一体化された結束線の予備の利用、またとりわけピストル型結束機と一体化された結束線のリールの利用は、ピストルの重さを増加させ、よってピストルを、持続した使用に適さないものにする。
【００１３】
この点で、ブドウ畑において一般に取り付けられる結束タイの数が、ブドウ園およびブドウの苗木の仕立て方式に応じて、１ヘクタールにつき結束タイ９０００個から８００００個の間で異なり得ることに注目することができる。
【００１４】
またピストル型結束機と一体化された結束線の予備の利用は、線の重さおよび容積のために、利用可能な予備用の線の長さを著しく制限する。
【課題を解決するための手段】
【００１５】
これらの困難を乗り越えるために、本発明は、以下を含む、柄を備えた器具の本体を用いた結束タイ取付け用器具を提案する。
−結束線の受入れ用の線の入口、
−結束タイ取付け用先端部、
−少なくとも１つの、結束タイ取付け用先端部の作動用電動機、および
−少なくとも１つの、結束線の予備の受入れ用の第一のリール台。
【００１６】
本発明によると、器具の本体は、器具の本体上への第一のリール台の取外し可能な固定のための、第一のリール台を受け止めることのできる固定用台座を含み、固定用台座および第一のリール台は、弾性の差込錠を有する。
【００１７】
第一のリール台の取外し可能な固定は、一体化されたリールを伴う器具の構成から、遠隔のリールを伴う器具の構成へ、またその逆に、素早く移って、そのとき遠隔のリールを伴う構成において器具をリールの重さから解放するだけでなく、器具を第一のリール台の重さからも解放することを可能にする。
【００１８】
この特徴は、遠隔のリールを伴う形態において手で持たれる器具の重さを減らすことを可能にする。この特徴はこのように、器具を、長い利用時間にわたる集中的な利用に、より適応したものにする。この特徴は、１日の間に、さまざまな高さでの結束タイを必要とする、さまざまな高木や中木の上に、結束タイを実現することもまた可能にする。利用者はこのように、１日の作業にわたって、利用者が、利用者に関連し得る結束線の制約を受けることなく結束タイを位置決めすることを可能にし、ついで器具の取扱いに関係づけられた疲れを制限することを利用者に可能せしめるリールの遠隔の位置決めと交互に入れ替わることを可能にする、器具上の第一のリール台を利用することができる。
【００１９】
一体化されたリールを伴う構成とは、第一のリール台が器具の本体上に取り付けられている構成を示す。第一のリール台は、この場合、結束タイ取付け用器具に補充する結束線のリールを備えていることができる。
【００２０】
遠隔のリールを伴う構成とは、第一のリール台が、結束タイ取付け用器具から取り外されている構成から理解される。この場合、結束線の予備は、例えばベルトに装着されるリールまたは背負い運搬用ハーネスに装着されるリールから成ることができる。遠隔のリールの運搬は、器具から離されて、またこのように、ベルトまたはハーネスの上に取外し可能に位置決めされる第一のリール台を結果的に伴い得る。
【００２１】
２重の構成はまた、異なる２つのタイプの結束線を用いて器具を利用することも可能にする。例えば伸ばすことのできない線の、第一のタイプの結束線は、遠隔のリールを伴う構成において利用されることができ、また例えば伸ばすことのできる結束線の、第二のタイプの結束線は、一体化されたリールを伴う構成において利用されることができる。
【００２２】
第一のリール台の固定用台座が、その取外し可能な固定のために台座と適合し得るリール台を受け止め得る台座であることが考えられる。
【００２３】
第一のリール台の固定用台座は好ましくは、線の入口のすぐ近くに設けられることができる。
【００２４】
有利には、固定用台座と第一のリール台とは、形状の相補性による固定用台座の上への第一のリール台の固定のための、相補的な嵌合用凹凸をそれぞれ有することができる。
【００２５】
そのような固定方法は、工具を伴わずかつ素早い、リール台の取外しおよび設置を可能にする。この特徴は、利用者の接触感度を減少させる保護用手袋を着用している利用者にとって、とりわけ有利である。
【００２６】
台座の嵌合用凹凸はとりわけ、線の入口の両側にレールを有することができる。この配置は、線の入口にできるだけ近い、リール台の固定を可能にする。
【００２７】
線の入口のすぐ近くへの第一のリール台の固定用台座の配置は、いくつもの利点を有する。該配置はとりわけ、リールと結束タイ取付け用器具とから外れた結束線がたどる距離を減らすこと、またしたがって結束線の思いがけない引っ掛かりのリスクを減らすことを可能にする。
【００２８】
別の利点は、結束線の入口と結束タイ取付け用先端部とが、把握用柄の両側の、器具の本体の反対側の端に設けられるとき、器具の全体のバランスをもたらすことである。
【００２９】
結束タイ取付け用器具の別の興味深い実施可能性によると、結束タイ取付け用器具は、器具の本体と一体化された、電動機のエネルギー供給のための蓄電池を有することができる。
【００３０】
この場合、器具は好ましくは、蓄電池の充電器の接続用コンセントを有することができる。
【００３１】
蓄電池は例えば、結束タイ取付け用器具の柄の中に収容され得る。
【００３２】
器具の本体の中への蓄電池の一体化は、遠隔の蓄電池の方への給電線を回避することを可能にし、またこのように、遠隔のリールを伴う構成における利用の際の、結束線の給電線とのもつれのリスクを取り除く。それは、利用者への器具のこの余分な連結のないことを考慮して、器具の取扱いも容易にする。
【００３３】
蓄電池の充電および放電は電子回路によって検査されることができ、電子回路は同じように電動機を制御する。
【００３４】
器具の本体の中への蓄電池の一体化は、蓄電池、またとりわけリチウム電池、より具体的にはリチウムイオン電池またはリチウムポリマー電池の重さの減少および容量の増加によって可能になる。一体化された蓄電池によって誘発される器具の余剰重量はまた、リール台を取り外すのが可能なことにより、少なくとも部分的に補われる。
【００３５】
器具の本体の中へ蓄電池を一体化するのが可能だからといって、遠隔の蓄電池を用いた器具の使用、またとりわけベルトまたは運搬用ハーネスに装着される蓄電池を用いた器具の使用の可能性が考慮に入らないわけではないことを強調することが望ましい。
【００３６】
コンセントは、結束タイ取付け用器具に、蓄電池の充電器を連結することを可能にし、または場合によっては遠隔の蓄電池に器具を連結する電源ケーブルを連結することを可能にする。コンセントは、好ましくは雌型の台座から成ることができる。
【００３７】
有利には、第一のリール台が器具上に受け止められているとき、第一のリール台はコンセントの保護カバーを形成することができる。コンセントはこの場合、器具の本体上への第一のリール台の設置によって保護される。コンセントはとりわけ、汚れや異物の思いがけない侵入から保護される。コンセントはまた、コンセントの中への結束線の不都合な侵入からも保護される。
【００３８】
コンセントは実際に、線の入口の近傍に配置され得る。
【００３９】
この場合、第一のリール台は、コンセント用カバーを形成するだけでなく、結束線の入口の方への結束線用通路もまた含んでいる。
【００４０】
上に示されたように、固定用台座と第一のリール台とは、器具の本体上に第一のリール台の位置を係止するための差込錠を有する。弾性の差込錠は、結束タイ取付け用器具の本体上へのリール台の保持を保証することを可能にする。また弾性の差込錠の使用、すなわちラチェット機構付き差込錠の使用は、手袋をはめた利用者のための容易な取扱いも可能にする。
【００４１】
弾性の差込錠の一つの特定の実現可能性によると、弾性の差込錠は、第一のリール台と連動する弾性薄板と、弾性薄板に相補的な形状の、固定用台座の切込みとを有し得、切込みは、弾性薄板を係止位置において受け止める。金属製薄板は例えば、ステンレス鋼製の薄板である。
【００４２】
結束タイ取付け用器具は、リール台に加えて、第一のリール台とは別であり、かつ第一のリール台の固定用台座と適合し得るコンセントの保護キャップを有し得、保護キャップは、第一のリール台が器具の本体から取り外されるとき、固定用台座上に設置されることができる。
【００４３】
キャップは、上で言及された、固定用台座の切込みと対になった弾性薄板を有し得、そして切込みとともに差込錠を形成し得る。
【００４４】
それはまたこの場合、第一のリール台のものに匹敵する、弾性の差込錠である。
【００４５】
先に既に触れられたように、器具は第一のリール台とは別であり、かつ器具の本体から遠隔の第二のリール台を、そのうえ有し得る。
【００４６】
第二のリール台が器具の本体から遠隔であるのは、第二のリール台が、場合によっては器具の本体に備えられる結束線によるものとは違う仕方で器具の本体に連結されていないときである、と考えられる。
【００４７】
第二のリール台は、遠隔のリールを伴う構成における器具の利用のための結束線用リールを単数または複数受けることができる。
【００４８】
器具はこの場合、器具の本体から遠隔であり、かつ第二のリール台を備えた、運搬用ベルトと背負い運搬用ハーネスとのうちの少なくとも１つを有し得る。ベルトおよび／またはハーネスはまた、給電用蓄電池または補助蓄電池の運搬にも役立ち得る。
【００４９】
選択的に、ベルトおよび／またはハーネスは、器具の本体の形状に類似した形状の固定用台座を有することができ、また第一のリール台は、ベルトおよび／またはハーネスの上に固定されて、したがって第二のリール台となることができる。
【００５０】
遠隔のリールを用いた結束タイ取付け用器具の利用において、器具は、利用者の１つの手によって、柄の所を持たれている。利用者はこの場合、第二のリール台を、例えばベルトに装着していることができる。
【００５１】
結束タイ取付け用器具は、第一のリール台の上に受けられる結束線用リールを少なくとも１つ有し得る。結束タイ取付け用器具は、必要があれば、遠隔の第二のリール台を備える単数または複数のリールを有することもできる。
【００５２】
本発明の他の特徴および利点は、図面を参照して続く説明から明らかになるであろう。この説明は、例証としてかつ限定されないものとして記される。
【図面の簡単な説明】
【００５３】
【図１】本発明による結束タイ取付け用器具の斜視図である。
【図２】本発明による、手で持たれている結束タイ取付け用器具の概略図であって、遠隔のリールを用いた器具の利用を示している。
【図３】図１の取付け用器具の第一のリール台の斜視図であって、より大きな尺度で、部分的な分解組立図を用いている。
【図４】図１の取付け用器具のキャップの斜視図であって、より大きな尺度で、部分的な分解組立図を用いている。
【００５４】
図面は、自由な縮尺で実現される。
【発明を実施するための形態】
【００５５】
図１は、本発明による結束タイ取付け用器具１０を示している。それは、始動用引き金１６のついた柄１４を備えた器具の本体１２を有するピストル型結束機である。
【００５６】
引き金は、結束タイの取付けを始動させることを可能にする。
【００５７】
器具の前部には、結束タイ取付け用先端部２０がある。該先端部は、結束すべき要素上を捕らえるようになるための、特徴的な、くちばし状の部分２２を備えている。くちばし状の部分２２は典型的には、撚り合せられる結束タイを使って固定用ワイヤの上に分枝または若枝を固定するために、分枝または若枝ならびに固定用ワイヤの上に差し込まれることができる。
【００５８】
結束タイ取付け用先端部２０は、本質において、くちばし状の部分２２の中に収容される、枢動する線の案内フックを含む。該先端部はまた、結束線を結束すべき要素の周りにフックの中で前進させるための、結束線の駆動機構と、結束線の断片を切り分けるためのカッターと、切り分けられた結束線の断片の自由端を撚り合わせて、結束すべき要素の周りに結束タイを形成するための撚合装置も含む。これらの部材の全体は電動機１８によって動かされ、電動機は破線で概略的に示されている。
【００５９】
結束タイ取付け用先端部の詳細な動作は、ここでは記述されてない。必要な場合には、欧州特許出願公開第０７６３３２３号明細書を参照することができ、本発明はその改善版となっている。
【００６０】
器具の後部、すなわち柄１４との関係において結束タイ取付け用先端部２０の反対側には、結束線用の入口２４とコンセント２６とがある。
【００６１】
結束線用の入口２４とコンセント２６との周りに、器具の本体１２は、第一のリール台４０の取外し可能な固定のための台座３０を有する。
【００６２】
台座３０は、線の入口２４の両側に、第一のリール台４０の形状の相補性による嵌め込み用レール３２を形成する、溝の形状の嵌合用凹凸を有する。
【００６３】
レールは、結束線用の入口２４の中への結束線の進入用軸３４とほぼ直角に交わるように広がる。
【００６４】
固定用台座３０はまた、あとで記述される弾性の差込錠用の切込み３６も有する。
【００６５】
結束線の入口２４は、第一のリール台が台座３０の上に設置されているとき、第一のリール台４０によって支えられる、線のリール４４からの結束線４２を受け入れることができる。
【００６６】
選択的に、結束線の入口はまた、図２で示されるような遠隔の第二のリール台５０によって支えられる、線のリール５４からの結束線５２を受け入れることもできる。この結束線５２はそのとき、第一のリール台４０上にあるリール４４の結束線４２に代わるものである。図２の例において、遠隔の第二のリール台５０は、利用者によって装着されるハーネス５８のベルト５６の上に取り付けられている。
【００６７】
第一のリール台と第二のリール台とは、一体化されたリールを伴う構成においてか、あるいは遠隔のリールを伴う構成において、結束タイ取付け用器具の利用を可能にする。
【００６８】
図１に戻ると、第一のリール台４０は、それが台座３０の上でしかるべき場所にあるとき、コンセント２６の保護カバーとなるものである。保護カバーとなる第一のリール台の部分は、参照記号４６で示されている。
【００６９】
取外し可能な第一のリール台４０が、器具の本体１２の台座３０から取り外されるとき、該リール台はそこで、キャップ６０に替えられることができる。キャップ６０もまた、コンセント２６の保護物となる。
【００７０】
保護キャップはただし、それが台座３０の上でしかるべき場所にあるとき、結束線の入口２４の方への通路をあける切込み６８を有する。
【００７１】
結束タイ取付け用器具１０の電動機１８の主電源は、柄１４に一体化される蓄電池７０から成る。蓄電池は、概略的に示されている。
【００７２】
蓄電池は、取付け用器具１０に外付けの、また電気ケーブルによってコンセント２６に結ばれる、充電器７２によって充電されることができる。蓄電池の充電時に、第一のリール台４０およびキャップ６０は、台座３０から取り外されている。
【００７３】
電動機の給電の別の可能性は、取付け用器具に外付けの、また例えばハーネス５８によって装着される、遠隔の蓄電池７４を利用することにある。遠隔の蓄電池もまた、コンセント２６に連結されることができる。遠隔の蓄電池に頼ることは、遠隔のリールを伴う構成における器具の利用、すなわち第一のリール台４０のない器具の利用に限られる。キャップ６０もまた、遠隔の蓄電池７４の接続のために取り外される。
【００７４】
図３は、第一のリール台４０と、第一のリール台に取り付けられるリール４４とを、より詳細に示している。リール４４は、結束線なしで示されている。
【００７５】
第一のリール台４０が、器具の本体１２の台座３０に相補的な形状をもつ固定用スタンド８０を有することに注目することができる。固定用スタンド８０は、台座のレール３２を形成する溝の上に嵌め込まれうる２つの張り出したレール８２をとりわけ含む。言葉を換えれば、固定用スタンド８０のレール８２は、台座３０の上に第一のリール台４０を嵌め込むように、形状の相補性をもつ構成にある固定用台座３０のレール３２の中をスライドすることができる。
【００７６】
スタンド８０はまた、コンセント２６の保護および被覆用カバー４６を形成する隔壁８６も有する。
【００７７】
隔壁８６における開口部８８は、第一のリール台４０が台座３０の上でしかるべき場所にあるとき、結束線の入口２４の方へのリール４４の結束線の通過を可能にする。
【００７８】
図３で、ねじ８５によってスタンドに固定される、折り曲げられた小さな金属製薄板８４の、スタンド８０内での存在に注目することができる。金属製薄板およびねじは、分解されて示されている。
【００７９】
金属製薄板８４はスタンド８０内に固定されると、図１で見ることのできる台座３０の切込み３６とともに、ラチェット機構付き弾性の差込錠を構成する。金属製薄板のひじ形に曲げられた部分は、台座３０の上への第一のリール台４０の設置の際に切込みの中に捕らえられるようになり、よって台座の上に第一のリール台を留め置くことを可能にする。
【００８０】
差込錠の解除は、弾性の金属製薄板を折り曲げてそれを切込み３６から離脱させるのに十分なレール８２の軸における引張り力を、第一のリール台４０へ加えることよって行われる。
【００８１】
図４は、第一のリール台４０に代わって器具の本体１２の台座３０の上に据え付けられうるキャップ６０を、より大きな尺度で示している。キャップの一般的な構成は、図３を参照して記述されるスタンド８０のものに類似している。
【００８２】
キャップ６６は、コンセント２６用の保護カバーを形成する隔壁６６と、結束線の通路用の切込み６８とを有する。
【００８３】
キャップ６６はまた、図２のスタンド８０のレール８２に匹敵するレール６２も含む。キャップ６０のレール６２は、器具の本体１２の台座３０のレール３２の上に、形状の相補性によって嵌め込まれることができる。
【００８４】
キャップ６０はまた、ねじ６５によって固定される金属製薄板６４も有する。金属製薄板６４は、スタンド８０の金属製薄板８４とまったく同じように、器具の本体１２の台座３０の切込み３６とともに弾性の差込錠を構成することを可能にする。
【符号の説明】
【００８５】
１０  結束タイ取付け用器具
１２  器具の本体
１４  柄
１８  作動用電動機
２０  結束タイ取付け用先端部
２４  線の入口
３０  固定用台座
３６  弾性の差込錠
４０  第一のリール台
【図１】
2021516196.tif 000003
【図２】
2021516196.tif 000004
【図３】
2021516196.tif 000005
【図４】
2021516196.tif 000006
【国際調査報告】
2021516196.tif 000007
2021516196.tif 000008
2021516196.tif 000009
2021516196.tif 000010